(57)【要約】
【課題】  雄金具と雌金具との相対的な回動角度を確実に所定の範囲内に規制することができる連結金具を提供する。
【解決手段】  係合部４を有する雄金具２と、係合部４を係合させる被係合部７を有する雌金具６と、係合部４を被係合部７に係合させた状態で雄金具２と雌金具６とを相対的に回動自在に連結する連結部材１７とを備える。雄金具２と雌金具６との相対的な回動時に、雄金具２の係合部４の根元部が雌金具６の被係合部７の略Ｕ形状のストッパー部１４に当接することにより、雄金具２と雌金具６との相対的な回動角度が規制される。係合部４が被係合部７内に係合されているので、係合部４がストッパー部１４に当接するときに、ストッパー部１４から外れるようなことはなく、回動角度を所定の範囲内に確実に規制することができる。
【選択図】        図２
0003100827.tif 000002
【実用新案登録請求の範囲】
【請求項１】
係合部を有する雄金具と、前記係合部を係合させる被係合部を有する雌金具と、前記係合部を前記被係合部に係合させた状態で前記雄金具と前記雌金具とを相対的に回動自在に連結する連結部材とを備え、前記雄金具と前記雌金具との相対的な回動時に、前記雄金具の係合部の一部を前記雌金具の被係合部の一部に当接させることにより、前記雄金具と前記雌金具との相対的な回動角度を規制するように構成したことを特徴とする連結金具。
【請求項２】
前記雌金具の被係合部の一部には略Ｕ形状のストッパー部が設けられ、このストッパー部に前記雄金具の係合部の根元部を当接させることにより、前記雄金具と前記雌金具との相対的な回動角度が規制される請求項１に記載の連結金具。
【請求項３】
請求項１又は２に記載の連結金具を用いて、レンズ保持枠とテンプルとを相対的に回動自在に連結したことを特徴とするメガネフレーム。
【考案の詳細な説明】
【技術分野】
【０００１】
本考案は、連結金具及びメガネフレームに関し、特に回動角度を規制する機能を備えた連結金具及びメガネフレームに関するものである。
【背景技術】
【０００２】
従来、二つの部品、例えばメガネフレームのレンズ保持枠とテンプルとを相対的に回動自在に連結する連結金具の一例として、図４に示すように、レンズ保持枠４１側に一体に取り付けられる固定側金具３１と、テンプル４４側に一体に取り付けられるとともに、固定側金具３１と回動自在に係合される可動側金具３２と、固定側金具３１と可動側金具３２とを相対的に回動自在に連結する連結ねじ３４とを備えた連結金具３０が知られている。
【０００３】
このような構成の連結金具３０を備えたメガネフレーム４０にあっては、テンプル４４をレンズ保持枠４１に対して相対的に回動させることにより、テンプル４４をレンズ保持枠４１の裏面側で閉じてケースに収納可能な状態としたり、開いて顔に装着可能な状態とすることができるものである。
【０００４】
この場合、可動側金具３２の先端部に設けられているストッパー部３３を固定側金具３１に当接させることにより、可動側金具３２の固定側金具３１に対する相対的な回動角度が規制され、レンズ保持枠４１に対してテンプル４４が最大で約９０度開くように構成されている。
【０００５】
しかしながら、上記のような構成の連結金具３０にあっては、可動側金具３２のストッパー部３３、及びストッパー部３３に対応する固定側金具３１の部分が共に丸棒状に形成されているため、ストッパー部３３の先端部を固定側金具３１に当接させた場合に、ストッパー部３３が固定側金具３１から外れてしまい、テンプル４４が９０度以上に開いてしまい、テンプル４４とレンズ保持枠４１との間の角度を所定の角度に保持することができず、メガネフレーム４０の装着状態が不安定となってしまう（例えば、特許文献１参照。）。
【特許文献１】特開２００１−２９０１１１号公報
【考案の開示】
【考案が解決しようとする課題】
【０００６】
本考案は、上記のような従来の問題を解決したものであって、回動角度を所定の角度に確実に規制することができる連結金具及びメガネフレームを提供することを目的とするものである。
【課題を解決するための手段】
【０００７】
上記のような問題を解決するために、本考案の請求項１に係る連結金具は、係合部を有する雄金具と、前記係合部を係合させる被係合部を有する雌金具と、前記係合部を前記被係合部に係合させた状態で前記雄金具と前記雌金具とを相対的に回動自在に連結する連結部材とを備え、前記雄金具と前記雌金具との相対的な回動時に、前記雄金具の係合部の一部を前記雌金具の被係合部の一部に当接させることにより、前記雄金具と前記雌金具との相対的な回動角度を規制するように構成した手段を採用している。
本考案による連結金具によれば、雄金具と雌金具とを相対的に回動させたときに、雄金具の係合部の一部が雌金具の被係合部の一部に当接することにより、雄金具と雌金具との相対的な回動角度が規制されることになる。
【０００８】
また、本考案の請求項２に係る連結金具は、請求項１に記載の連結金具において、前記雌金具の被係合部の一部には略Ｕ形状のストッパー部が設けられ、このストッパー部に前記雄金具の係合部の根元部を当接させることにより、前記雄金具と前記雌金具との相対的な回動角度が規制される手段を採用している。
本考案による連結金具によれば、雄金具と雌金具とを相対的に回動させたときに、雌金具の被係合部の略Ｕ形状のストッパー部に雄金具の係合部の根元部が当接することにより、雄金具と雌金具との相対的な回動角度が規制されることになる。
【０００９】
さらに、本考案の請求項３に係るメガネフレームは、請求項１又は２に記載の連結金具を用いて、レンズ保持枠とテンプルとを相対的に回動自在に連結した手段を採用している。
本考案によるメガネフレームによれば、テンプルをレンズ保持枠に対して相対的に回動させたときに、雄金具の係合部の一部（係合部の根元部）が雌金具の被係合部の一部（略Ｕ形状のストッパー部）に当接することにより、雄金具と雌金具との相対的な回動角度が規制されることになる。
【考案の効果】
【００１０】
本考案の請求項１に記載の連結金具は、雄金具と雌金具とを相対的に回動させたときに、雄金具の係合部の一部が雌金具の被係合部の一部に当接することにより、雄金具と雌金具との相対的な回動角度が規制されることになる。この場合、雄金具と雌金具とは、雄金具の係合部が雌金具の被係合部に係合された状態で相対的に回動自在に連結されているので、雄金具の係合部が雌金具の被係合部から外れてしまうようなことはなく、所定の回動角度に確実に規制することができる。
【００１１】
また、本考案の請求項２に記載の連結金具は、雄金具と雌金具とを相対的に回動させたときに、雌金具の被係合部の略Ｕ形状のストッパー部に雄金具の係合部の根元部が当接することにより、雄金具と雌金具との相対的な回動角度が規制されることになる。この場合、雄金具と雌金具とは、雄金具の係合部が雌金具の被係合部に係合された状態で相対的に回動自在に連結されているので、雄金具の係合部の根元部が雌金具の被係合部の略Ｕ形状のストッパー部から外れてしまうようなことはなく、所定の回動角度に確実に規制することができる。
【００１２】
さらに、本考案の請求項３に記載のメガネフレームは、テンプルをレンズ保持枠に対して相対的に回動させたときに、雄金具の係合部の一部（係合部の根元部）が雌金具の被係合部の一部（略Ｕ形状のストッパー部）に当接することにより、雄金具と雌金具との相対的な回動角度が規制されることになる。この場合、雄金具と雌金具とは、雄金具の係合部が雌金具の被係合部に係合された状態で相対的に回動自在に連結されているので、雄金具の係合部の一部（根元部）が雌金具の被係合部の一部（略Ｕ形状のストッパー部）から外れてしまうようなことはなく、所定の回動角度に確実に規制することができる。従って、メガネフレームの回動角度を所定の角度に確実に保持することができるので、安定した装着状態が得られることになる。
【考案を実施するための最良の形態】
【００１３】
以下、図面に示す本考案の実施の形態について説明する。
図１〜図３には、本考案による連結金具及びメガネフレームの一実施の形態が示されていて、この連結金具１は、雄金具２と、雌金具６と、雄金具２と雌金具６とを回動自在に連結する連結部材１７とを備えている。
【００１４】
雄金具２は、図３に示すように、棒状をなす本体部３と、本体部３の先端部に一体に設けられるとともに、中心部に貫通孔５が設けられる係合部４とから構成されている。
【００１５】
係合部４は、本体部３の先端部を環状に屈曲させて構成しても良いし、環状に屈曲させた部分の上下面にそれぞれ環状のワッシャー等を接合して構成しても良いし、本体部３の先端部に円板状のものを一体に接合し、その中心部に貫通孔５を設けて構成しても良い。本体部３は、棒状のままでも良いが、用途に応じて途中から所定の角度で屈曲させてく形状等に形成しても良い（この実施の形態においては、く形状に屈曲させている）。
【００１６】
雌金具６は、図３に示すように、帯状をなすものを屈曲させて、中心部に略Ｕ形状の被係合部７を形成し、この被係合部７の両端部を更に外方に約９０度の角度で屈曲させて、その部分に略Ｉ形状の脚部１５、１６を一体に形成したものであって、図２に示すように、被係合部７内に雄金具２の係合部４が回動自在に係合される。
【００１７】
被係合部７の一方の片８及び他方の片１１の中央部には、それぞれ円板状の台座９、１２が一体に設けられ、一方の片８の台座９の中心部には、ねじ挿通用のばか孔１０が貫通した状態で設けられ、他方の片１１の台座１２の中心部には、ねじ孔１３が貫通状態で螺設されている。
【００１８】
被係合部７の一方の片８と他方の片１１とを連結している略Ｕ形状の屈曲部分は、係合部４の根元部を当接させるストッパー部１４に形成され、このストッパー部１４に係合部４の根元部を当接させることにより、雄金具２と雌金具６との相対的な回動角度が規制される。
【００１９】
雌金具６の被係合部７には、図２に示すように、雄金具２の係合部４が係合され、この状態で、図３に示すように、上方から連結部材である連結ねじ１７を被係合部７の一方の片８のばか孔１０及び係合部４の貫通孔５内を挿通させ、被係合部７の他方の片１１のねじ孔１３に螺合させて締め付けることにより、雄金具２と雌金具６とが相対的に回動自在に連結される。この場合、図１及び図２に示すように、雄金具２の係合部４の根元部が雌金具６の被係合部７のストッパー部１４に当接することにより、雄金具２と雌金具６との相対的な回動角度が規制される。
【００２０】
本考案によるメガネフレーム２０は、一対のレンズ２５、２５を保持する環状のレンズ保持枠２１、２１と、レンズ保持枠２１、２１の内縁部間を一体に連結するブリッジ２２と、各レンズ保持枠２１の内縁部に設けられる鼻当て用のパッド２３と、各レンズ保持枠２１の外縁部に本考案による連結金具１を介して相対的に回動自在に連結されるテンプル２４とを備えている。
【００２１】
各レンズ保持枠２１の外縁部には、連結金具１の雌金具６が一体に設けられている。この場合、雌金具６は、その被係合部７を各レンズ保持枠２１から外方に突出させた状態で、両脚部１５、１６を各レンズ保持枠２１の外縁部に埋設させることにより、各レンズ保持枠２１の外縁部に一体に設けられている。
【００２２】
各テンプル２４の先端部には、連結金具１の雄金具２が一体に設けられている。この場合、雄金具２は、その係合部４及びそれに連続する本体部３の部分を各テンプル２４から突出させた状態で、本体部３の根元部を各テンプル２４の先端部に埋設させることにより、各テンプル２４の先端部に一体に設けられている。
【００２３】
そして、各レンズ保持枠２１の外縁部に設けた連結金具１の雌金具６の被係合部７内に各テンプル２４の先端部に設けた連結金具１の雄金具２の係合部４を係合させ、この状態で、図３に示すように、上方から連結部材である連結ねじ１７を被係合部７の一方の片８のばか孔１０及び係合部４の貫通孔５内を挿通させ、被係合部７の他方の片１１のねじ孔１３に螺合させて締め付けることにより、雄金具２と雌金具６とが相対的に回動自在に連結され、連結金具１を介してレンズ保持枠２１にテンプル２４が相対的に回動自在に連結される。
【００２４】
そして、図１及び図２に示すように、連結金具１の雄金具２の係合部４の根元部が雌金具６の被係合部７のストッパー部１４に当接することにより、雄金具２と雌金具６との相対的な回動角度、すなわちレンズ保持枠２１に対するテンプル２４の相対的な回動角度が規制される。この場合、雄金具２の係合部４は、雌金具６の略Ｕ形状の被係合部７内に係合されているので、雄金具２の係合部４の根元部が雌金具６の被係合部７のストッパー部１４から外れるようなことはなく、雄金具２と雌金具６との相対的な回動角度、すなわちレンズ保持枠２１とテンプル２４との相対的な回動角度を所定の範囲内に確実に規制することができる。
【００２５】
従って、メガネフレーム２０のテンプル２４、２４を開いて顔に装着する場合に、テンプル２４、２４を所定の角度に開いた状態に確実に保持することができるので、安定した装着状態が得られることになる。
【００２６】
なお、前記の説明においては、本考案による連結金具１をメガネフレーム２０に適用したが、その他の相対的に回動自在に連結される二つの部材間に本考案による連結金具１を適用しても良いものであり、その場合にも、同様の作用効果を奏するのは勿論のことである。
【図面の簡単な説明】
【００２７】
【図１】本考案による連結金具及びメガネフレームの一実施の形態を示した説明図であって、連結金具の回動角度が規制された状態を示した説明図である。
【図２】図１の部分拡大図である。
【図３】本考案による連結金具の分解図である。
【図４】従来の連結金具及びメガネフレームの一例を示した部分拡大図である。
【符号の説明】
【００２８】
１、３０  連結金具
２  雄金具
３  本体部
４  係合部
５  貫通孔
６  雌金具
７  被係合部
８  一方の片
９、１２  台座
１０  ばか孔
１１  他方の片
１３  ねじ孔
１４、３３  ストッパー部
１５、１６  脚部
１７  連結部材（連結ねじ）
２０、４０  メガネフレーム
２１、４１  レンズ保持枠
２２  ブリッジ
２３  鼻当て用のパッド
２４、４４  テンプル
２５  レンズ  
３１  固定側金具
３２  可動側金具
３４  連結ねじ
【図１】
0003100827.tif 000003
【図２】
0003100827.tif 000004
【図３】
0003100827.tif 000005
【図４】
0003100827.tif 000006